(57)【特許請求の範囲】
【請求項１】
主搬送経路に沿って配設された左右一対の無端回動体と、これら無端回動体間に多数取り付けられ、かつ主搬送経路とは直交状の方向が長さ方向とされた物品支持体と、この物品支持体に外嵌して案内される物品横押し体とが設けられた転換設備であって、前記物品横押し体は、その上部に横押し作用部が設けられ、この横押し作用部の両側面には横押し当接部材が設けられ、これら横押し当接部材の後端部分は、横押し作用部の後端に対して後方へ突出されるとともに、左右方向に弾性変形自在に形成されていることを特徴とする転換設備。
【請求項２】
横押し作用部の両側面は、前部に対して後部が他側面側へと傾斜した横向き傾斜面に形成され、これら横向き傾斜面の部分に横押し当接部材が設けられていることを特徴とする請求項１記載の転換設備。
【請求項３】
物品横押し体は、下位の矩形筒状部分と上位の横押し作用部とにより構成され、矩形筒状部分の上板材の上面側に設けられる横押し作用部は、上板材の前端部を除いた残部の上方を覆う天板材を有し、上板材の前端部は、凹円弧状でかつ小さい傾斜で次第に上昇する始端上面に形成されていることを特徴とする請求項１または２記載の転換設備。
【請求項４】
前に位置される物品横押し体に設けられた横押し当接部材の後端と、後に位置される物品横押し体に設けられた横押し当接部材の前端との間には、隙間が生じていることを特徴とする請求項１〜３のいずれか１項に記載の転換設備。
【発明の詳細な説明】
【技術分野】
【０００１】
本発明は、たとえば主搬送経路上で搬送されている物品を、この主搬送経路の側部外方に設けた分岐搬送経路に移したりするのに使用される転換設備に関するものである。
【背景技術】
【０００２】
従来、この種のものとしては、次のような構成が提供されている。すなわち、左右一対のチェーン間に多数のスラットが取り付けられ、これらスラットに外嵌して案内されるシューが設けられている。このシューは、表面部と裏面部と前面部とが一体形成されており、そして表面部の後部両側には、後部側が内方に傾斜する取付面部が、傾斜角度を３０度として形成されている。そして取付面部には、ウレタン樹脂製の緩衝部材が着脱自在に取り付けられている（たとえば、特許文献１参照。）。
【特許文献１】特開平６−１１５６８０号（第３頁、図１−図４）
【特許文献２】特開平４−１４４８２７号公報（第４，５図）
【特許文献３】特開２００２−３７０８２０号公報（図１−図３）
【発明の開示】
【発明が解決しようとする課題】
【０００３】
しかし、上記した従来構成によると、シューの表面部における後部両側にのみ緩衝部材が取り付けられていることで、前に位置されるシューに設けられた緩衝部材の後端と、後に位置されるシューに設けられた緩衝部材の前端との間に大きな隙間が生じることになり、特に小さな搬送物などの場合に緩衝部材の押動面が偏心位置（偏心箇所）に当接して、振り分けが安定して行えないことになる。これに対してはシューを大きくして、シューの前後間隔（前後の隙間）を小さくすることが考えられるが、シューを単に大きくしたとき、側部で前進移動している最後位のシューと、横方向に振り分け移動している最前位のシューとによる搬送物の挟み込みが発生する恐れがある。
【０００４】
そこで本発明の請求項１記載の発明は、物品横押し体の前後間隔をより小さくし得るとともに、物品の挟み込みを減少し得、また、物品の挟み込みが発生しても、物品横押し体や物品の破損を防止し得る転換設備を提供することを目的としたものである。
【課題を解決するための手段】
【０００５】
前述した目的を達成するために、本発明の請求項１記載の転換設備は、主搬送経路に沿って配設された左右一対の無端回動体と、これら無端回動体間に多数取り付けられ、かつ主搬送経路とは直交状の方向が長さ方向とされた物品支持体と、この物品支持体に外嵌して案内される物品横押し体とが設けられた転換設備であって、前記物品横押し体は、その上部に横押し作用部が設けられ、この横押し作用部の両側面には横押し当接部材が設けられ、これら横押し当接部材の後端部分は、横押し作用部の後端に対して後方へ突出されるとともに、左右方向に弾性変形自在に形成されていることを特徴としたものである。
【０００６】
したがって請求項１の発明によると、両無端回動体の移動によって物品支持体群を主搬送経路上で移動させることにより、始端部の物品支持体群上に供給した物品を主搬送経路上で搬送し得、そして、物品支持体の長さ方向に物品横押し体を移動させることで、物品を横押しして主搬送経路の側部外方に払い出しし得る。その際に、横押し当接部材の後端部分が横押し作用部の後端に対して設定長さだけ後方へ突出されていることから、この横押し当接部材による横押し作用面（押し面）を大きく（長く）し得るとともに、前後の物品横押し体における横押し当接部材間の隙間を小さくし得る。また、何らかの事情で、前後の物品横押し体間で物品を挟み込むような状態になったとき、横押し当接部材の後端部分が左右方向に弾性変形して（撓んで）逃げることになる。
【０００９】
そして本発明の請求項２記載の転換設備は、上記した請求項１記載の構成において、横押し作用部の両側面は、前部に対して後部が他側面側へと傾斜した横向き傾斜面に形成され、これら横向き傾斜面の部分に横押し当接部材が設けられていることを特徴としたものである。
【００１０】
したがって請求項２の発明によると、物品横押し体群は、搬送方向に移動しながら主搬送経路を横切る際に、横押し作用部の傾斜した側面が物品に横押し作用して、この物品を、その向きを変えながら主搬送経路に対して傾斜状で分岐移動し得る。
【００１１】
さらに本発明の請求項３記載の転換設備は、上記した請求項１または２記載の構成において、物品横押し体は、下位の矩形筒状部分と上位の横押し作用部とにより構成され、矩形筒状部分の上板材の上面側に設けられる横押し作用部は、上板材の前端部を除いた残部の上方を覆う天板材を有し、上板材の前端部は、凹円弧状でかつ小さい傾斜で次第に上昇する始端上面に形成されていることを特徴としたものである。
【００１２】
したがって請求項３の発明によると、たとえば横押し開始時において、前後の物品横押し体間で物品を挟み込むような状態になったとき、この物品の下に、まず角度の緩やかな凹円弧状の始端上面がよりスムースに潜り込み、そして物品を傾斜状上面によって持ち上げる状態になる。
【００１３】
しかも本発明の請求項４記載の転換設備は、上記した請求項１〜３のいずれか１項に記載の構成において、前に位置される物品横押し体に設けられた横押し当接部材の後端と、後に位置される物品横押し体に設けられた横押し当接部材の前端との間には、隙間が生じていることを特徴としたものである。
【００１４】
したがって請求項４の発明によると、横押し当接部材による横押し作用面（押し面）を、より大きく（長く）し得る。
【発明の効果】
【００１５】
上記した本発明の請求項１によると、両無端回動体の移動によって物品支持体群を主搬送経路上で移動させることにより、始端部の物品支持体群上に供給した物品を主搬送経路上で搬送でき、そして、物品支持体の長さ方向に物品横押し体を移動させることで、物品を横押しして主搬送経路の側部外方に払い出すことができる。その際に、横押し当接部材の後端部分を横押し作用部の後端に対して設定長さだけ後方へ突出させていることで、この横押し当接部材による横押し作用面（押し面）を大きく（長く）でき、以て安定した横押し移動を可能にできるとともに、前後の物品横押し体における横押し当接部材間の隙間を小さくして、物品を挟み込みし難い状態で所期の横押し移動を可能にできる。また、何らかの事情で、前後の物品横押し体間で物品を挟み込むような状態になったとき、横押し当接部材の後端部分が左右方向に弾性変形して（撓んで）逃げることになり、これにより物品の挟み込みが発生しても、物品横押し体や物品が破損することを防止できる。
【００１７】
そして上記した本発明の請求項２によると、物品横押し体群は、搬送方向に移動しながら主搬送経路を横切る際に、横押し作用部の傾斜した側面を物品に横押し作用でき、以て物品を、その向きを変えながら、主搬送経路に対して傾斜状で分岐移動できる。
【００１８】
さらに上記した本発明の請求項３によると、たとえば横押し開始時において、前後の物品横押し体間で物品を挟み込むような状態になったとき、この物品の下に、まず角度の緩やかな凹円弧状の始端上面をよりスムースに潜り込ませることができ、そして物品を傾斜状上面によって持ち上げる状態にできる。
【００１９】
しかも上記した本発明の請求項４によると、横押し当接部材による横押し作用面（押し面）を、より大きく（長く）できる。
【発明を実施するための最良の形態】
【００２０】
［実施の形態１］
以下に、本発明の実施の形態１を図１〜図１４に基づいて説明する。
図２〜図８において１は本体フレームで、両側にそれぞれ上下一対に配設したフレーム材１０，２０と、上下ならびに左右のフレーム材１０，２０間を連結する中間枠部材２と、下位フレーム材２０から下方に連設した脚体３群などからなり、前記中間枠部材２は、縦連結材４や横連結材５などにより構成される。
【００２１】
前記上位フレーム材１０は、アルミニウムの成形品により断面矩形状に形成され、そして中央部に上方への起立部１１を形成して、この起立部１１の上部外側に切欠き状の段部１２を形成し、また起立部１１の上部内側に上向き溝状の潤滑油受け部１３を形成している。さらに上位フレーム材１０には、起立部１１の部分に外向き蟻溝１４が、外側の段部１２の位置に上向き蟻溝１５がそれぞれ形成されるとともに、下端には内側下向き蟻溝１６と外側下向き蟻溝１７が形成されている。また上位フレーム材１０には、内側の潤滑油受け部１３よりも少し下方の位置から内方へ往路側案内レール部１８が突出され、この往路側案内レール部１８は物品支持体（後述する。）の支持案内用となる。
【００２２】
ここで往路側案内レール部１８は、その上面によって上向き支持面１８ａが形成されるとともに、内側面によって内側への横向き案内面１８ｂが形成されている。さらに往路側案内レール部１８の部分には下向き蟻溝１９が形成される。なお、潤滑油受け部１３や蟻溝１４〜１７、１９や往路側案内レール部１８などは、上位フレーム材１０の成形時に長さ方向の全長に亘って形成される。以上の１１〜１９などにより上位フレーム材１０の一例が構成される。
【００２３】
前記下位フレーム材２０は、アルミニウムの成形品により断面矩形状に形成され、そして上端に内側上向き蟻溝２１と外側上向き蟻溝２２とが形成されるとともに、下端に内側下向き蟻溝２３と外側下向き蟻溝２４とが形成される。さらに下位フレーム材２０には、中間部の内側に上向き溝状の潤滑油受け部２５が形成されるとともに、内方へ復路側案内レール部２６が突出され、この復路側案内レール部２６は物品支持体の支持案内用となる。
【００２４】
ここで復路側案内レール部２６は、その上面によって上向き支持面２６ａが形成されている。さらに復路側案内レール部２６の部分には下向き蟻溝２７が形成される。また、復路側案内レール部２６などにより形成される段部２８の上方に位置するように、上端延長部２９が一体に形成され、以て上端延長部２９の内側面によって横向き案内面２９ａが形成されている。これら蟻溝２１〜２４、２７や復路側案内レール部２６、上端延長部２９などは、下位フレーム材２０の成形時に長さ方向の全長に亘って形成される。以上の２１〜２９などにより下位フレーム材２０の一例が構成される。
【００２５】
前記中間枠部材２は、上位フレーム材１０の両下向き蟻溝１６，１７に板状のナット体６を位置させておき、そして中間枠部材２の縦連結材４や横連結材５に対して下方から通したボルト体７をナット体６に螺合し締め付けることで上位フレーム材１０と一体化され、また下位フレーム材２０の両上向き蟻溝２１，２２を利用することで、前述と同様にナット体６とボルト体７とにより下位フレーム材２０に一体化される。この中間枠部材２は、両フレーム材１０，２０の長さ方向において所定間隔置きに複数が配設される。また前記脚体３は、下位フレーム材２０の下向き蟻溝２３，２４を利用して、ナット体６とボルト体７により下位フレーム材２０に連結される。
【００２６】
上記のようにして構成された本体フレーム１の始端部には左右方向の従動軸３０が回転自在に配設され、また終端部には左右方向の駆動軸３１が回転自在に配設される。ここで従動軸３０や駆動軸３１は、両フレーム材１０，２０間に配設した左右一対の支持部材３２に、それぞれ軸受け装置３３を介して回転自在に支持されている。前記駆動軸３１に連動連結した駆動装置３４は、電動機３５と、これに一体化した減速機３６とからなり、この減速機３６の出力部が前記駆動軸３１に連動されている。
【００２７】
前記従動軸３０と駆動軸３１との両端で相対向部間には、スプロケット（輪体の一例）３８，３９を介して無端チェーン（無端回動体の一例）４０が配設されている。ここでスプロケット３８，３９は、前記支持部材３２の内側に配設されて従動軸３０や駆動軸３１に連結されている。また前記無端チェーン４０はリンク４１と連結ピン４２とからなる。ここで無端チェーン４０は、往路側において潤滑油受け部１３の上方に位置され、また復路において潤滑油受け部２５の上方で段部２８内に位置されている。そして左右の無端チェーン４０間に物品支持体５０が多数取り付けられている。その際に、前記無端チェーン４０側からの突出部、すなわち前記連結ピン４２群のうち、所定ピッチ置きの連結ピンを内側に突出させることで形成した長尺連結ピン４２が物品支持体５０の取り付けに使用される。
【００２８】
前記物品支持体５０は、図１、図２、図６〜図１４に示すように、両無端チェーン４０の移動方向となる主搬送経路４５に対して直交した方向を長さ方向５１として配設されている。この物品支持体５０は、上面（表面）５４ａに長さ方向５１に沿った上向きの凸状部５２を主搬送経路４５の方向で３条（複数条）に形成するとともに下面（裏面）の中間部分に長さ方向５１に沿った下向きの凸状部５３を主搬送経路４５の方向で４条（複数条）に形成した扁平状の物品載置板部５４と、この物品載置板部５４の下面中間部（裏面中間部分）から前記主搬送経路４５の方向で一対に連設されかつ長さ方向５１に沿った脚板部５５，５６と、物品載置板部５４の前端から下方かつ後方に延びる前板部５７と、この前板部５７の下端から後方に向かう前位円弧部５７Ａと、物品載置板部５４の後端から下方かつ前方に延びる後板部５８と、この後板部５８の下端から前方に向かう後位円弧部５８Ａとにより、下面側開放の型レール状に構成されている。
【００２９】
このような構成において、上向きの凸状部５２群の上部は扁平面５２ａに形成されるとともに、両脚板部５５，５６間に位置される下向きの凸状部５３群の下部も扁平面５３ａに形成されている。そして両脚板部５５，５６の下端は、相対向する側（内側）へ突出することで厚肉部に形成され、以て両脚板部５５，５６間でかつ物品載置板部５４の下面中間部との間に、相対向する側で開放する溝状の案内部５９，６０が形成されている。ここで案内部５９，６０は、相対向する面によって前後案内面５９ａ，６０ａが形成されるとともに、厚肉部の上面によって下位案内面５９ｂ，６０ｂが形成されている。なお上位案内面は、前記物品載置板部５４の下向き面である前記凸状部５３群の扁平面５３ａによって形成される。
【００３０】
また前板部５７と後板部５８とは、下方に延びるにつれて、相対向側へ向かって次第に接近するように内側傾斜状となり、そして前位円弧部５７Ａと後位円弧部５８Ａとは半割筒状で、両脚板部５５，５６の下端よりも下方に位置されるとともに、その下面（外面）は下向き円弧面５７ａ，５８ａに形成されている。このように、前板部５７と後板部５８との下端に前位円弧部５７Ａと後位円弧部５８Ａとを形成することで、これら前板部５７と後板部５８との下端を、他物に引っ掛かり難く形成し得るとともに、充分な強度を確保し得、さらに前位円弧部５７Ａと後位円弧部５８Ａとを両脚板部５５，５６の下端よりも下方に位置させることで、案内部５９，６０を保護してダメージを無くし得る。なお、両脚板部５５，５６の下端には、下方で開放する溝状の螺合部５５Ａ，５６Ａが形成されている。以上の５２〜６０などにより物品支持体５０の一例が構成される。かかる下面側開放の型レール状に構成された物品支持体５０によると、全体を軽量に形成し得るとともに、安価に提供し得る。
【００３１】
このようにして構成された物品支持体５０における長さ方向５１の両端には、それぞれサイドブラケット６１が差し込み結合などにより取り付けられる。これらサイドブラケット６１は鉄製からなり、主搬送経路４５の方向で長い本体部６２の内面側の上部で前後の二箇所に、内方へ突出する板状の差し込み部６３が設けられ、そして差し込み部６３間には貫通孔６４が形成されている。さらに本体部６２における中間の下部には、内方への突出片６２Ａが折れ曲がりにより形成されている。また、サイドブラケット６１の外面側で前部の一箇所には、外方へ突出する筒状体６５が、その内端の小径部分を差し込んで溶接することによって取り付けられ、さらに後部には、厚さ相当分だけ曲げ変位させて、内外両側方と後方に開放される凹入状の嵌合部６６が形成されている。前記筒状体６５には筒状連結部６７が内嵌され、この筒状連結部６７の内周面によって長さ方向５１の差し込み孔６８が形成されている。
【００３２】
上記のように形成されたサイドブラケット６１は、物品支持体５０における物品載置板部５４と前板部５７または後板部５８とにより形成された前後一対の空間部に一対の差し込み部６３を差し込み、次いで、貫通孔６４に外側から通したボルト体６９を螺合部５５Ａ，５６Ａのいずれかに螺合結合させることで、物品支持体５０の両端に取り付け得る。そして筒状体６５に対して、筒状連結部６７を外側から差し込み内嵌して弾性係合させることで、筒状体６５に対して筒状連結部６７を内嵌状で連結し得る。
【００３３】
次いで、筒状連結部６７の差し込み孔６８に対して、前記無端チェーン４０側からの長尺連結ピン４２の突出部分を外側から差し込んで筒状連結部６７に結合することで、物品支持体５０の両端を、それぞれサイドブラケット６１を介して無端チェーン４０に連結し得、以て左右一対の無端チェーン４０間に多数の物品支持体５０を取り付け得る。このとき、サイドブラケット６１の筒状体６５には樹脂製のリング体７５が外嵌されており、このリング体７５に対して、隣接したサイドブラケット６１における嵌合部６６が外嵌されることになる。すなわち、嵌合部６６と筒状連結部６７側のリング体７５との嵌合面が異なる材質、つまり鉄製と樹脂製からなっている。
【００３４】
前記筒状体６５には、外周部がウレタンからなる回転体（被案内部材の一例で、ベアリング形式やローラ形式などからなる。）７０が外嵌され、これら回転体７０は、前記本体フレーム１側の両ガイドレール部１８，２６の上向き支持面１８ａ，２６ａに支持案内される。また前記突出片６２Ａには、外周部がウレタンからなるサイドローラ（被案内部材の一例）７１が縦軸７２を介して遊転自在に設けられ、これらサイドローラ７１は、前記本体フレーム１側における往路側案内レール部１８の横向き案内面１８ｂや上端延長部２９の横向き案内面２９ａに案内される。
【００３５】
各物品支持体５０には、この物品支持体５０に外嵌して案内されることで長さ方向５１に移動自在な物品横押し体８０が設けられ、これら物品横押し体８０は、下位の矩形筒状部分と上位の横押し作用部８５とにより構成されている。すなわち各物品横押し体８０は、前記物品載置板部５４に上側から対向される扁平状の上板材８１と、この上板材８１の前端から下方かつ後方に延びることで前板部５７に外側から対向される前板材８２と、前記上板材８１の後端から下方かつ前方に延びることで後板部５８に外側から対向される後板材８３と、前板材８２と後板材８３の下端間に位置されることで前位円弧部５７Ａや後位円弧部５８Ａに下側（下方）から対向される扁平状の底板材８４とにより矩形筒状部分が形成されている。
【００３６】
そして前記上板材８１の上面側（上方）に横押し作用部８５が設けられている。すなわち横押し作用部８５は、上板材８１の前端部８１Ａを除いた残部（扁平状部）の上方を覆う天板材８６と、この天板材８６を上板材８１に連結する前後一対（単数または複数）の左右方向リブ板材８７、ならびに左右中央（単数または複数）の前後方向リブ板材８８とから形成されている。ここでリブ板材８７，８８群により横押し作用部８５の強度アップを図っている。
【００３７】
その際に、上板材８１の前端部８１Ａと天板材８６との上面を側面視（上面形状）したとき、前端部８１Ａの部分は、凹円弧状でかつ小さい傾斜で次第に上昇するくちばし状の始端凹状上面（始端上面の一例）８１ａに形成され、天板材８６の前部は、直線状でかつ始端凹状上面８１ａよりも大きい傾斜角度で次第に上昇する傾斜状上面８６ａに形成され、天板材８６の中間部は、凸円弧状でかつ次第に上昇する前凸円弧状上面８６ｂと、凸円弧状でかつ頂部を形成する後凸円弧状上面８６ｃとに形成され、天板材８６の後端部分は、凸円弧状でかつ急激に下降するコーナー面８６ｄと、凸円弧状でかつ急激に下降する凸円弧状後面８６ｅに形成されている。
【００３８】
すなわち横押し作用部８５の上部は、前後方向の中間部分が前下方への傾斜状上面８６ａに形成されるとともに、この傾斜状上面８６ａに連ねて前端部分には、前記傾斜状上面８６ａに対して角度の緩やかな始端凹円弧状上面８１ａが形成されることになる。また、始端凹状上面８１ａと傾斜状上面８６ａと前凸円弧状上面８６ｂと後凸円弧状上面８６ｃとコーナー面８６ｄと凸円弧状後面８６ｅとは、前部から後部へと、この順で連続して形成されることになる。この連続形成によって、側面視において全体を曲面化して見栄えの良いものとし得る。
【００３９】
また天板材８６の後端部分を凸円弧状のコーナー面８６ｄとすることで、たとえば転換設備の前後に搬入用や搬出用の搬送手段（ベルトコンベア装置などで図示せず。）が配設されていたときで、誤動作などによって反転中の物品横押し体８０がベルトなどに接触しようとしたとき、コーナー面８６ｄが接触することでベルトなどの損傷を防止し得る。
【００４０】
そして天板材８６の上面で、前端部８１Ａと天板材８６との境界部分、ならびに前記左右方向リブ板材８７の上方位置には、凹部８９が左右方向の全長に亘って形成されている。したがって、たとえば横押し作用部８０を樹脂成形した際に、左右方向リブ板材８７群の部分に全長に亘って生じる凹部８９群を有効に利用して、デザイン性を向上し得る。
【００４１】
また、上板材８１の前端部８１Ａと天板材８６（横押し作用部８５）とを平面視（側面形状）したとき、前端部８１Ａの左右角部は凸円弧状の円弧状側面８１ｂに形成されるとともに、その後端に連続して凹円弧状でかつ急激に入り込む凹円弧状側面８１ｃが形成されている。そして天板材８６の両側面は、凹円弧状側面８１ｃに連なる前端部が幅広でかつ幅が次第に絞られて幅狭の後端部となるように、すなわち起立状でかつ前部に対して後部が他側面側へと傾斜した横向き傾斜面８６ｆに形成されている。これにより天板材８６は、平面視において傾斜角度θが２０度の台形板状に形成され、そして、上板材８１の前端部８１Ａを除いた部分やリブ板材８７，８８群は台形板状内に納まるように形成されている。
【００４２】
前記横向き傾斜面８６ｆの部分には、その横押し当接面９０ａが平面視において凹凸状でかつゴム板などからなる横押し当接部材９０が着脱自在に取り付けられている。すなわち横押し当接部材９０は、横押し作用部８５から上板材８１に亘っての側面を覆う形状、つまり上面は横押し作用部８５の上面に連なる形状とされている。また取り付け状態においては、前端部分が凹円弧状側面８１ｃに当接され、その凹凸状の横押し当接面９０ａにおける凸状側面部（外側面）が前記円弧状側面８１ｂの後端に連なる厚さとして形成されている。
【００４３】
さらに横押し当接部材９０の後端部分９０Ａは、横押し作用部８５の後端、すなわちコーナー面８６ｄや凸円弧状後面８６ｅからなる後端８５Ａに対して、設定長さＬだけ後方へ突出されている。その際に設定長さＬは、前に位置される物品横押し体８０に設けられた横押し当接部材９０の後端（後端面）９０Ｂと、後に位置される物品横押し体８０に設けられた横押し当接部材９０の前端（前端面）９０Ｃとの間に、隙間Ｓが生じるように設定されている。ここで横押し当接部材９０はゴム板からなることで、その後端部分９０Ａは、左右方向に弾性変形自在に形成されることになる。
【００４４】
そして横押し当接部材９０の内側面側で前後３箇所（前後複数箇所）からは、横押し作用部８５の空洞部に差し込み自在なそれぞれ変形筒状の突出部９１が一体形成され、これら突出部９１の扁平状の下面からは係止部９２が下向きで突出形成されている。なお上板材８１には、係止部９２群が係合自在な係合孔部９３群が形成されている。ここで係合孔部９３は、左右方向リブ板材８７を避ける状態で、左側の前後３箇所（前後複数箇所）と右側の前後３箇所（前後複数箇所）とに形成されているが、その際に左列の係合孔部９３群と右列の係合孔部９３群とは前後方向で互い違い状（位置ずれ状）として形成されている。
【００４５】
したがって横押し当接部材９０は、横押し作用部８５の空洞部に突出部９１を差し込み、係止部９２群を係合孔部９３群に係合させることで、その内側面を横向き傾斜面８６ｆに当接させ、横押し当接面９０ａの凸状側面部を円弧状側面８１ｂの後端に連なる状態とし、かつ横押し当接面９０ａを前部に対して後部が他側面側へと、２０度の傾斜角度θに傾斜させた状態で、横押し作用部８５に着脱自在に取り付け得る。その際に係止部９２群の係合孔部９３群への係合によって、横押し当接部材９０の取り付けを強固に行えるとともに、左列と右列とを前後方向で互い違い状としたことによって、横押し当接部材９０の樹脂成形による形成を容易に行えることになる。以上の８６〜９３などによって横押し作用部８５の一例が構成される。
【００４６】
前記底板材８４の上面側には、両脚板部５５，５６間に嵌合される上向き突状の被嵌合部９５が連設され、この被嵌合部９５の上半部は相反する側（外側）へ突出することで厚肉部に形成され、これら厚肉部によって、前記案内部５９，６０に嵌合して摺動案内される被案内部９６，９７が形成されている。すなわち、被案内部９６，９７の上端部で相反する面（外側面）によって、前後案内面５９ａ，６０ａに摺接案内される前後被案内面９６ａ，９７ａが形成されるとともに、下面によって、下位案内面５９ｂ，６０ｂに摺接案内される下位被案内面９６ｂ，９７ｂが形成され、そして厚肉部の上面によって、前記凸状部５３の扁平面５３ａに下方から対向されて摺接案内される上位被案内面９６ｃ，９７ｃが形成されている。これにより前記物品横押し体８０は、前後の被案内部９６，９７を介して、物品支持体５０における案内部５９，６０に嵌合されて案内されるように構成されている。
【００４７】
ここで平面視（上面形状）において、物品横押し体８０の上板材８１や横押し作用部８５の天板材８６は、前述したように、前端部が幅広でかつ幅が次第に絞られて後端部が幅狭の台形板状に形成され、そして前板材８２は、円弧状側面８１ｂによる絞りによって上板材８１の前端部よりも少し幅の狭い幅広の矩形板状に形成され、後板材８３は、上板材８１の幅狭後端部に連なる幅狭上半部８３Ａと、次第に拡幅されて前板材８２における少し幅の狭い幅広と同様の幅となる台形状下半部８３Ｂとにより逆Ｔ字型状に形成され、底板材８４は、前板材８２と後板材８３との下端に連なる幅広の正方形に近い矩形板状に形成されている。すなわち、台形板状の上板材８１や天板材８６に対して、矩形板状の底板材８４が長さ方向５１の両側で突出される形状となり、これにより、前位円弧部５７Ａの下向き円弧面５７ａや後位円弧部５８Ａの下向き円弧面５８ａに対する対向幅を広くできる。
【００４８】
そして、前記被嵌合部９５は平面視において長さ方向５１に長い長方形状であって、前部の被案内部９６は底板材８４と同様の幅に設定されており、また後部の被案内部９７は底板材８４の幅に対して幅広とし、これにより突出される部分によって被ストッパー部９９を形成している。その際に被ストッパー部９９が、サイドブラケット６１における本体部６２の内側面に当接されることで、長さ方向５１の移動限が規制されるように構成されている。なお、被ストッパー部９９の当接面は直線状となっているが、これは外方凸の凸状円弧面であってもよい。
【００４９】
前記物品横押し体８０の被案内部９６，９７側には、物品支持体５０における物品載置板部５４に下方から当接自在な上向き弾性体と、前部の脚板部５５に内側から当接自在な前向き弾性体とが設けられている。すなわち、被嵌合部９５における長さ方向５１の両端部分で両被案内部９６，９７の間には、主搬送経路４５の方向で一対のスリット１００を介して上向き舌片体（上向き弾性体の一例）１０１が形成され、これら上向き舌片体１０１は上下方向に弾性変形可能に構成されている。両上向き舌片体１０１の遊端には上方への当接部１０１ａが形成され、この当接部１０１ａが被嵌合部９５の上面よりも上方へ突出して形成されることによって、物品載置板部５４に下方から弾性的に当接自在に構成されている。
【００５０】
また、前部の被案内部９６における長さ方向５１の両端部分には、上下方向で一対のスリット１０２を介して前向き舌片体（前向き弾性体の一例）１０３が形成され、これら前向き舌片体１０３は前後方向に弾性変形可能に構成されている。両前向き舌片体１０３の遊端には前方への当接部１０３ａが形成され、この当接部１０３ａが前後被案内面９６ａよりも前方へ突出して形成されることによって、前部の脚板部５５に内側から弾性的に当接自在に構成されている。
【００５１】
上記構成の物品横押し体８０において、上板材８１と前板材８２と後板材８３とは、一部の板厚を不均一として形成されている。すなわち、前板材８２ならびに後板材８３は、上板材８１に対して下方に延びるにつれて、相対向側（中心側）に向かって板厚が次第に厚くなるように形成されている。
【００５２】
つまり、前述したように物品支持体５０の前板部５７と後板部５８とが、物品載置板部５４に対して下方に延びるにつれて互いに接近するように内側傾斜状（内側絞り状）であることから、それによって生じたスペースを利用して、前板材８２ならびに後板材８３の上端部分の厚さｔに対して、下端部分の厚さＴ１が厚く形成されている。そして底板材８４の厚さＴ２は、前板材８２と後板材８３の下端部分の厚さＴ１に連続されて厚く形成されるとともに、前板材８２と後板材８３との下端に連続する部分から中央部分に延びるにつれて、空所８４Ａを挟んで実質の板厚Ｔ３が次第に厚くなるように形成されている。つまり［ｔ＜Ｔ１≒Ｔ２＜Ｔ３］に形成されている。このような厚さの変化により、物品横押し体８０の前後長さを長く（大型化）することなく、この物品横押し体８０の全体の強度アップを図っている。
【００５３】
その際に底板材８４は、中央部が扁平な厚肉部でかつ周辺が前後端および左右端から次第に厚くなる傾斜部に形成されているが、その下面８４ａは全体としてフラット状に形成されており、これにより他物との引っ掛かりを無くし得る。さらに、前記物品横押し体８０における上板材８１側の下面には、前記物品支持体５０の物品載置板部５４に形成した凸状部５２に上方から対向される３本の凹溝部１０４が形成されている。以上の８１〜１０４などにより物品横押し体８０の一例が構成される。かかる物品横押し体８０は、横押し当接部材９０を除いて合成樹脂によって一体成形されている。
【００５４】
前記物品横押し体８０の下部側には、前記被嵌合部９５を利用して被案内体が取り付けられる。すなわち前記被嵌合部９５の中央部、すなわち被案内部９６，９７間の中央部からローラ軸（支持軸の一例）１０７が、その上部を埋め込み成形により支持させることで垂設され、このローラ軸１０７の突出下部に、案内ローラ（被案内体の一例）１０８が遊転自在に取り付けられ、以て案内ローラ１０８は物品横押し体８０の裏面外方に位置される。このようにローラ軸１０７の上部を被案内部９６，９７間の中央部に埋め込み成形により支持させることで、このローラ軸１０７の支持部を両脚板部５５，５６間に位置し得、すなわち物品支持体５０の下端である円弧部５７Ａ，５８Ａよりも上方に位置し得、これにより案内ローラ１０８を円弧部５７Ａ，５８Ａに接近して配置できて、物品横押し体８０自体の高さを低くし得る。さらにローラ軸１０７は、十分に高さを取れる被案内部９６，９７間において強固に支持し得る。
【００５５】
図４〜図７に示すように、前記本体フレーム１の中間枠部材２における上位の横連結部材５には前記案内ローラ１０８の案内を行う往路案内装置１１０が配設され、また下位の横連結部材５には復路案内装置１１６が配設される。そして中央の分岐部には、往路側の上部切り換え手段１３０と復路側の下部切り換え手段１３１とが配設され、さらに往路側の始端近くには左右一対の振り分け手段１３２Ａ，１３２Ｂが配設される。
【００５６】
前記往路案内装置１１０は、始端部の両側にそれぞれ左右一対に設けた始端案内部１１１Ａ，１１１Ｂと、これら始端案内部１１１Ａ，１１１Ｂの終端に前記振り分け手段１３２Ａ，１３２Ｂを介して対向し、かつ下手側ほど内側へと傾斜した左右一対の内移動案内部１１２Ａ，１１２Ｂと、これら内移動案内部１１２Ａ，１１２Ｂの終端に前記上部切り換え手段１３０を介して対向し、かつ下手側ほど外側へと傾斜した左右一対の外移動案内部１１３Ａ，１１３Ｂと、これら外移動案内部１１３Ａ，１１３Ｂの終端に対向して配設したそれぞれ左右一対の終端案内部１１４Ａ，１１４Ｂとからなる。
【００５７】
また前記復路案内装置１１６は、下手側ほど内側へと傾斜した左右一対の内移動案内部１１７Ａ，１１７Ｂと、これら内移動案内部１１７Ａ，１１７Ｂの終端に前記下部切り換え手段１３１を介して対向し、かつ下手側ほど外側へと傾斜した左右一対の外移動案内部１１８Ａ，１１８Ｂとからなる。
【００５８】
前記往路ガイド装置１１０の始端案内部１１１Ａ，１１１Ｂや終端案内部１１４Ａ，１１４Ｂ、および前記復路案内装置１１６の外移動案内部１１８Ａ，１１８Ｂは、上位の横連結部材５に固定されたブラケット１２０と、このブラケット１２０に相対向する状態で取り付けられた案内体１２１、および案内板１２２とにより構成される。ここで案内体１２１はアルミニウムの押し出し成形品からなり、また案内板１２２は樹脂製からなり、これら案内体１２１と案内板１２２との相対向面間に案内ローラ１０８が位置される。
【００５９】
また前記往路案内装置１１０の内移動案内部１１２Ａ，１１２Ｂや外移動案内部１１３Ａ，１１３Ｂ、および前記復路案内装置１１６の内移動案内部１１７Ａ，１１７Ｂは、前記案内体１２１を下位の横連結部材５に対して直接に固定することで構成され、この案内体１２１の側面により案内ローラ１０８が案内される。なお図２に示すように、始終の反転部で案内ローラ１０８の案内を行うべく、両軸３０，３１の部分には案内ローラ１０８の嵌合を許す反転案内体１３５Ａ，１３５Ｂ，１３６Ａ，１３６Ｂが取り付けられている。
【００６０】
図７〜図９に示すように、前記上位フレーム材１０（本体フレーム１の上部）で、無端チェーン４０を配設するとともに往路側案内レール部１８を形成してなる部分に、無端チェーン４０や回転体７０の上方を閉塞状とするためのカバー体（チェーンカバー）１４０が配置される。図２、図９に示すように、本体フレーム１の両側外方には、主搬送経路４５に対して外方かつ下手側へと傾斜した分岐搬送経路１４５Ａ，１４５Ｂを形成する分岐コンベヤ１４６Ａ，１４６Ｂが設けられる。１５０は物品を示す。
【００６１】
以下に、上記した実施の形態１において、物品１５０の搬送、分岐作用を説明する。
すなわち、駆動装置３４の電動機３５を作動させ、減速機３６に連動した駆動軸３１を介してスプロケット３９を強制回転させることで、両無端チェーン４０を移動し得る。この両無端チェーン４０の移動によって物品支持体５０群を、回転体７０を介して両案内レール部１８，２６の上向き支持面１８ａ，２６ａに支持案内させるとともに、サイドローラ７１を介して両案内レール部１８や上端延長部２９の横向き案内面１８ｂ，２９ａに案内させることで、安定した状態で移動し得る。その際に復路側においては、回転体７０の上方に上端延長部２９が位置することで、この回転体７０の浮き上りを阻止し得、以て物品支持体５０群を上下でガタつくことなく安定した状態で移動し得る。これにより物品支持体５０群が循環移動することから、始端部の物品支持体５０群上に供給した物品１５０を主搬送経路４５上で搬送し得る。
【００６２】
なお搬送時において、往路での両無端チェーン４０の移動は、カバー体１４０の下方でかつ潤滑油受け部１３の上方で行われ、また復路での両無端チェーン４０の移動は、上端延長部２９の下方でかつ潤滑油受け部２５の上方で行われる。
【００６３】
このような搬送を行う際に、物品支持体５０群と一体的に移動する物品横押し体８０は、その案内ローラ１０８が案内装置１１０，１１６群に案内されることによって、被案内部９６を介して物品支持体５０の長さ方向５１に往復移動したり、物品支持体５０とともに主搬送経路４５に沿って直線状に移動したりする。
【００６４】
すなわち、たとえば一方側（左側）の始端案内部１１１Ａに案内されている案内ローラ１０８は、振り分け手段１３２Ａが直線状振り分け姿勢のときに直進案内され、そして案内作用を受けない状態で直進したのち終端案内部１１４Ａに案内されることになる。これにより物品横押し体８０は物品１５０に作用せず、この物品１５０は主搬送経路４５上を直進状に搬送される。なお反対側（右側）も同様であって、始端案内部１１１Ｂの案内ローラ１０８は、振り分け手段１３２Ｂから終端案内部１１４Ｂへと移動することになる。
【００６５】
また、一方側の始端案内部１１１Ａに案内されている案内ローラ１０８は、振り分け手段１３２Ａが傾斜状振り分け姿勢のときに内側へ傾斜案内され、そして内移動案内部１１２Ａに案内されて内側へ移動されたのち、上部切り換え手段１３０を介して外移動案内部１１３Ｂに移り、この外移動案内部１１３Ｂに案内されて外側へ移動されたのち終端案内部１１４Ｂに案内される。これにより物品横押し体８０群は、搬送方向に移動しながら主搬送経路４５を横切ることになり、以て他側の横押し作用部８５が物品１５０に横押し作用して、この物品１５０を、その向きを変えながら、主搬送経路４５に対して傾斜状で分岐移動させ、他方の分岐コンベヤ１４６Ｂに渡すことになる。
【００６６】
なお反対側も同様であって、始端案内部１１１Ｂの案内ローラ１０８は、振り分け手段１３２Ｂ、内移動案内部１１２Ｂ、上部切り換え手段１３０、外移動案内部１１３Ａ、終端案内部１１４Ａと案内され、物品横押し体８０群の一側の横押し作用部８５が、横押し当接部材９０を介して物品１５０に横押し作用して、この物品１５０を一方の分岐コンベヤ１４６Ａに渡すことになる。
【００６７】
上述したようにして終端案内部１１４Ａ，１１４Ｂの端部に達した案内ローラ１０８は反転案内体１３６Ａ，１３６Ｂに案内されて反転する。そして復路案内装置１１６においては、まず内移動案内部１１７Ａ，１１７Ｂに案内されて中央部に移動され、次いで下部切り換え手段１３１により左右に振り分けられたのち、外移動案内部１１８Ａ，１１８Ｂの案内により外側へと移動される。その後に、反転案内体１３５Ａ，１３５Ｂに案内されて反転したのち、始端案内部１１１Ａ，１１１Ｂのいずれかに移される。
【００６８】
このような反転のとき、前後のサイドブラケット６１間が相対的に伸縮される状態になり、これにより嵌合部６６とリング体７５とが摺接動するが、その際に鉄製の嵌合部６６と樹脂製のリング体７５との摺接動、つまり嵌合面が異なる材質からなる摺接動であることから、たとえば嵌合面が同じ材質からなる摺接動に比べて、摩耗や騒音の発生を減少し得る。
【００６９】
前述したように物品横押し体８０を移動させる際に、物品横押し体８０が横押し移動を行わず無負荷状態のとき、または軽い物品１５０を横押し移動させる軽負荷状態のときには、両上向き舌片体１０１の当接部１０１ａが凸状部５３の扁平面５３ａに下方から当接し、その弾性反発力による押し下げ力によって下位被案内面９６ｂ，９７ｂを下位案内面５９ｂ，６０ｂに押し付けるとともに、両前向き舌片体１０３の当接部１０３ａが案内部５９の前後案内面５９ａに内側から当接し、その弾性反発力による後押し力によって前後被案内面９７ａを案内部６０の前後案内面６０ａに押し付けることになる。
【００７０】
これにより、物品支持体５０の長さ方向５１に対する物品横押し体８０の往復移動は、当接部１０１ａが扁平面５３ａに弾性的に当接して摺接し、下位被案内面９６ｂ，９７ｂが下位案内面５９ｂ，６０ｂに当接して摺接し、当接部１０３ａが前後案内面５９ａに弾性的に当接して摺接し、前後被案内面９７ａが前後案内面６０ａに当接して摺接する状態で行える。
【００７１】
また物品横押し体８０が重い物品１５０の横押し移動を行っている重負荷状態のときには、その横押し偏荷重によって物品支持体５０に対して物品横押し体８０が少し変位することになる。すなわち、物品１５０への当接側においては、上向き舌片体１０１の弾性力に抗して被案内部９６，９７が上昇して上位被案内面９６ｃ，９７ｃが凸状部５３の扁平面５３ａに下方から当接し、また物品１５０への当接側とは反対側においては、前向き舌片体１０３の弾性力に抗して前後被案内面９６ａが前後案内面５９ａに内側から当接することになる。
【００７２】
これにより、物品支持体５０の長さ方向５１に対する物品横押し体８０の往復移動は、上位被案内面９６ｃ，９７ｃや当接部１０１ａが扁平面５３ａに当接して摺接し、下位被案内面９６ｂ，９７ｂが下位案内面５９ｂ，６０ｂに当接して摺接し、前後被案内面９６ａや当接部１０３ａが前後案内面５９ａに当接して摺接し、前後被案内面９７ａが前後案内面６０ａに当接して摺接する状態で行える。
【００７３】
これらにより前記物品横押し体８０の往復移動は、前後の被案内部９６，９７を介して、物品支持体５０における案内部５９，６０に嵌合されて案内される状態で、すなわち、好適な摺接摩擦が生じた状態で、ガタつきがなく、かつ姿勢（向き）を大きく変化させることなく、常に安定して行える。さらに、舌片体１０１，１０３群を長さ方向５１の両端に振り分けて形成していることで、物品横押し体８０の移動は、往復のいずれにおいても同等状の好適な摺接摩擦が生じた状態で行える。
【００７４】
また、物品載置板部５４の下面に下向きの凸状部５３を形成するとともに、この凸状部５３の下部を扁平面５３ａに形成し、そして被案内部９６，９７の上面を、扁平面５３ａに下方から対向する上位被案内面９６ｃ，９７ｃに形成していることで、物品横押し体８０群の長さ方向５１への移動時には、上位被案内面９６ｃ，９７ｃが扁平面５３ａ上を摺動することから、その移動は摩擦抵抗が少ない状態で行え、以て物品横押し体８０を傷つけることなく、しかも物品支持体５０側を摩耗させることなく、所期の移動をスムースに行える。
【００７５】
上述したように、物品横押し体８０群が搬送方向に移動しながら主搬送経路４５を横切ることによって、横押し作用部８５を物品１５０に横押し作用させて、この物品１５０を分岐移動させ、分岐コンベヤ１４６Ａ，１４６Ｂに渡しているが、その際に物品１５０は、凸状部５２群の扁平面５２ａ間で支持され、かつ扁平面５２ａ上を摺動することから、その分岐移動は摩擦抵抗が少ない状態で行え、以て物品１５０を傷つけることなく、しかも物品支持体５０側を摩耗させることなく、所期の分岐移動をスムースに行える。
【００７６】
そして横押し作用部８５の側部は、前端部８１Ａの左右角部が円弧状側面８１ｂに形成され、この円弧状側面８１ｂの後端に横押し当接面９０ａが連なる状態で横押し当接部材９０が設けられるとともに、横押し当接部材９０の後端部分９０Ａが横押し作用部８５の後端８５Ａに対して設定長さＬだけ後方へ突出されていることから、この横押し当接部材９０による横押し作用面（押し面）を大きく（長く）し得、以て安定した横押し移動を可能にし得るとともに、前後の物品横押し体８０における横押し当接部材９０間の隙間Ｓ（図１１参照）を小さくして、物品１５０を挟み込みし難い状態で所期の横押し移動を可能にし得る。また何らかの事情で、前後の物品横押し体８０間で物品１５０を挟み込むような状態になったとき、ゴム板からなる横押し当接部材９０の後端部分９０Ａが左右方向に弾性変形して（撓んで）逃げることになり、これにより物品横押し体８０や物品１５０が破損することを防止し得る。
【００７７】
さらに横押し作用部８５の上部は、前後方向の中間部分が前下方への傾斜状上面８６ａに形成されるとともに、この傾斜状上面８６ａに連ねて前端部分には、前記傾斜状上面８６ａに対して角度の緩やかな始端凹状上面８１ａが形成されていることで、たとえば横押し開始時において、前後の物品横押し体８０間で物品１５０を挟み込むような状態になったとき、この物品１５０の下に、まず角度の緩やかな始端凹状上面８１ａがスムースに潜り込み、そして物品１５０を傾斜状上面８６ａによって持ち上げる状態になる。これにより、挟み込みのない状態で所期の横押し移動を可能にし得、以て物品１５０や物品横押し体８０の破損を防止し得る。なお、前端部８１Ａの左右角部が円弧状側面８１ｂに形成されていることで、物品１５０の下への潜り込みは、よりスムースに行えることになる。
【００７８】
上述したように、物品横押し体８０群が搬送方向に移動しながら主搬送経路４５を横切ることによって、横押し作用部８５を物品１５０に横押し作用させて、この物品１５０を分岐移動させ、分岐コンベヤ１４６Ａ，１４６Ｂに振り分けて渡しているが、このとき物品支持体５０上の物品１５０は、無端チェーン４０の上方を閉塞状とするために上位フレーム材１０に固定したカバー体１４０の上方を乗り越えることで、物品１５０に付着していた塵埃などが無端チェーン４０側に落下するのを防止し得る。
【００７９】
以下に、本発明の実施の形態２を図１５に基づいて説明する。
前述した実施の形態１では、横押し当接部材９０における後端部分９０Ａの後端９０Ｂが、後に位置される物品横押し体８０における前板材８２の前面よりも前方に位置される状態で隙間Ｓを形成しているのに対し、この実施の形態２では、横押し当接部材９０における後端部分９０Ａが、後に位置される物品横押し体８０における前端部８１Ａの上方に突出される設定長さＬとされている。この場合においても設定長さＬは、前に位置される物品横押し体８０に設けられた横押し当接部材９０の後端（後端面）９０Ｂと、後に位置される物品横押し体８０に設けられた横押し当接部材９０の前端（前端面）９０Ｃとの間に、隙間Ｓが生じるように設定されている。
【００８０】
この実施の形態２によると、横押し当接部材９０による横押し当接面（押し作用面）９０ａを、より大きく（長く）できる。
以下に、本発明の実施の形態３〜６を図１６に基づいて説明する。
【００８１】
上記した実施の形態１では、物品横押し体８０として、横押し作用部８５の両側面が横向き傾斜面８６ｆに形成され、これら横向き傾斜面８６ｆの部分に横押し当接部材９０が設けられた形式が示されているが、この物品横押し体８０としては、平面視において種々な形状であってもよい。
【００８２】
すなわち、図１６（ａ）に示す実施の形態３は、横押し作用部８５の両側面が横向き直状面Ｅに形成され、これら横向き直状面Ｅの部分に横押し当接部材９０が設けられるとともに、横押し作用部８５と両横押し当接部材９０に亘っての前面側が半円状面Ｆに形成された物品横押し体８０である。
【００８３】
また、図１６（ｂ）に示す実施の形態４は、横押し作用部８５の両側面が横向き直状面Ｅに形成され、これら横向き傾斜面Ｅの部分に横押し当接部材９０が設けられ、以て両横押し当接部材９０が平行状とされた物品横押し体８０である。
【００８４】
また、図１６（ｃ）に示す実施の形態５は、横押し作用部８５の後半部の両側面が横向き直状面Ｅに形成され、これら横向き傾斜面Ｅの部分に横押し当接部材９０が設けられるとともに、横押し作用部８５の前半部の両側面が、前ほど内側の横向き傾斜面Ｇに形成された物品横押し体８０である。
【００８５】
そして、図１６（ｄ）に示す実施の形態６は、横押し作用部８５の後半部の両側面が横向き直状面Ｅに形成されるとともに、横押し作用部８５の前半部の両側面が前ほど内側の横向き傾斜面Ｇに形成され、これら横向き直状面Ｅから横向き傾斜面Ｇに亘って横押し当接部材９０が設けられた物品横押し体８０である。
【００８６】
上記した実施の形態１では、横押し当接部材９０を２０度の傾斜角度θに傾斜させた状態で取り付けているが、この傾斜角度は任意に設定されるものである。
上記した各実施の形態では、ゴム板からなる横押し当接部材９０によって、その後端部分９０Ａを左右方向に弾性変形自在に形成しているが、これは発泡材（スポンジなど）や樹脂板など、弾性変形自在な材料からなる横押し当接部材であってもよい。
【００８８】
上記した各実施の形態では、横押し当接部材９０の後端部分９０Ａを一体的に形成しているが、これは後端部分９０Ａを別体として設けた形式などであってもよい。
上記した各実施の形態では、横押し作用部８５の上部を、前後方向の中間部分が前下方への傾斜状上面８６ａに形成するとともに、この傾斜状上面８６ａに連ねて前端部分には、前記傾斜状上面８６ａに対して角度の緩やかな始端上面を形成しているが、これは傾斜状上面８６ａと始端上面とを同様の角度で連続して形成した形式などであってもよい。
【００８９】
上記した各実施の形態では、始端上面を、凹円弧状でかつ小さい傾斜で次第に上昇する始端凹状上面８１ａに形成し、傾斜状上面８６ａを、直線状でかつ始端凹状上面８１ａよりも大きい傾斜角度で次第に上昇するように形成しているが、これは始端凹円弧状上面８１ａを直線状上面や凸円弧状上面に形成した形式や、傾斜状上面８６ａを凹または凸の円弧状上面に形成した形式などであってもよい。
【００９０】
上記した各実施の形態では、横押し作用部８５の上部で後端部分を凸円弧状のコーナー面８６ｄに形成しているが、これは直角状コーナーに形成した形式などであってもよい。
上記した各実施の形態では、横押し作用部８５の上部として、凹円弧状でかつ小さい傾斜で次第に上昇する始端上面８１ａと、直線状でかつ始端上面８１ａよりも大きい傾斜角度で次第に上昇する傾斜状上面８６ａと、凸円弧状でかつ次第に上昇する前凸円弧状上面８６ｂと、凸円弧状でかつ頂部を形成する後凸円弧状上面８６ｃと、凸円弧状でかつ下降するコーナー面８６ｄと、凸円弧状でかつ下降する凸円弧状後面８６ｅとを、前部から後部へと連続して形成しているが、これは、横押し作用部８５の上部の全域を連続した円弧状面により形成した形式や、上部の全域を複数の直線状面で連続して形成した形式などであってもよい。
【００９１】
上記した各実施の形態では、横押し作用部８５の側部として、前端部８１Ａの左右角部を円弧状側面８１ｂに形成し、この円弧状側面８１ｂの後端に横押し当接面９０ａが連なる状態で横押し当接部材９０を設けて形成しているが、これは、左右角部が角張った形式や、円弧状側面８１ｂに対して横押し当接面９０ａを平面視において凹または凸の段状に形成した形式などであってもよい。
【００９２】
上記した各実施の形態では、横押し作用部８５の傾斜した横向き傾斜面８６ｆの部分に、横押し当接部材９０を係合方式により着脱自在に取り付けた形式が示されているが、これは、横向き傾斜面８６ｆの部分に横押し当接部材９０を接着やボルト結合などにより固定する形式などであってもよい。
【００９３】
上記した各実施の形態では、物品支持体５０を、扁平状の物品載置板部５４と、物品載置板部５４の下面中間部から一対に連設しかつ間に案内部５９，６０を形成する脚板部５５，５６と、物品載置板部５４の前端から下方に延びる前板部５７と、前板部５７の下端から後方に向かう前位円弧部５７Ａと、物品載置板部５４の後端から下方に延びる後板部５８と、後板部５８の下端から前方に向かう後位円弧部５８Ａとにより構成し、物品横押し体８０には、両円弧部５７Ａ，５８Ａが上側から対向する底板材８４の上面側に、案内部５９，６０に嵌合する被案内部９６，９７を形成し、両円弧部５７Ａ，５８Ａを両脚板部５５，５６の下端よりも下方に位置して形成した形式を示しているが、これは、両円弧部５７Ａ，５８Ａの遊端部分を両脚板部５５，５６に連結状とした形式などであってもよい。
【００９４】
上記した各実施の形態では、物品載置板部５４の上面５４ａに、長さ方向５１に沿った上向きの凸状部５２を形成するとともに、物品横押し体８０側に、凸状部５２に上方から対向する凹溝部１０４を形成し、凸状部５２の上部を扁平面５２ａに形成しているが、これは、凸状と凹溝とを逆とした形式、凸状や凹溝を形成しない形式、凸状部５２の上部を扁平面としない形式などであってもよい。
【００９５】
上記した各実施の形態では、物品横押し体８０の下部側に、本体フレーム１側の案内装置１１０，１１６に案内される被案内体（案内ローラ１０８）を、その上部を被案内部９６，９７の中央部に埋め込んで支持させることにより垂設した支持軸（ローラ軸１０７）の突出下部に取り付けた形式を示しているが、これは、物品横押し体８０の下部から一体状に垂設した支持軸部に被案内体を取り付けた形式などであってもよい。
【００９６】
上記した各実施の形態では、物品支持体５０として下面側開放の型レール状に構成した形式を示しているが、これは開放していない形式などであってもよい。
上記した実施の形態１では、無端回動体として無端チェーン４０を採用し、リンク４１間の連結を行う連結ピン４２群のうち、所定の連結ピンを内側に突出させることで形成した長尺連結ピン４２により突出部を構成した形式を示しているが、これは、無端チェーン４０の所定箇所に突出部を形成した形式や、所定箇所に突出部を形成した無端ベルトを採用した形式などであってもよい。
【００９７】
上記した実施の形態１では、本体フレーム１の両側外方にそれぞれ分岐コンベヤ１４６Ａ，１４６Ｂを設け、物品１５０を横押しして主搬送経路４５の両側部外方に振り分けて払い出す形式を示しているが、これは本体フレーム１の一側外方のみに分岐コンベヤ（１４６Ａまたは１４６Ｂ）を設けた形式などであってもよい。また転換設備としては、複数の搬送コンベアからの物品を１つの搬送コンベアに合流させる形式や、１つの搬送コンベアからの物品を複数の搬送コンベアに分岐させる形式に組み込んで使用し得る。
【００９８】
上記した実施の形態１では、上位フレーム材１０と下位フレーム材２０との別体化形式を示したが、これは下位フレーム材２０を側板、側枠形式にしてもよい。
【図面の簡単な説明】
【００９９】
【図１】本発明の実施の形態１を示し、転換設備における物品横押し体を取り付けた物品支持体部分の一部切り欠き側面図である。
【図２】同転換設備の概略平面図である。
【図３】同転換設備の概略側面図である。
【図４】同転換設備の往路案内装置群を示す概略平面図である。
【図５】同転換設備の復路案内装置群を示す概略平面図である。
【図６】同転換設備の一部切り欠き正面図である。
【図７】同転換設備の要部の一部切り欠き正面図である。
【図８】同転換設備の上位フレーム材部分の縦断正面図である。
【図９】同転換設備の要部の平面図である。
【図１０】同転換設備における物品支持体と物品横押し体とサイドブラケットの分解斜視図である。
【図１１】同転換設備における物品横押し体部分の平面図である。
【図１２】同転換設備における物品横押し体の一部切り欠き平面図である。
【図１３】同転換設備における物品横押し体の背面図である。
【図１４】同転換設備における物品横押し体を取り付けた物品支持体部分の縦断側面図である。
【図１５】本発明の実施の形態２を示し、転換設備における物品横押し体を取り付けた物品支持体部分の縦断側面図である。
【図１６】本発明の実施の形態３〜６を示し、（ａ）は実施の形態３、（ｂ）は実施の形態４、（ｃ）は実施の形態５、（ｄ）は実施の形態６で、それぞれ転換設備における物品横押し体の概略平面図である。
【符号の説明】
【０１００】
１        本体フレーム
１０      上位フレーム材
２０      下位フレーム材
３０      従動軸
３１      駆動軸
３４      駆動装置
３８      スプロケット（輪体）
３９      スプロケット（輪体）
４０      無端チェーン（無端回動体）
４５      主搬送経路
５０      物品支持体
５１      長さ方向
６１      サイドブラケット
７０      回転体（被案内部材）
７１      サイドローラ（被案内部材）
８０      物品横押し体
８１      上板材
８１Ａ    前端部
８１ａ    始端凹状上面（始端上面）
８１ｂ    円弧状側面
８１ｃ    凹円弧状側面
８５      横押し作用部
８５Ａ    後端
８６      天板材
８６ａ    傾斜状上面
８６ｂ    前凸円弧状上面
８６ｃ    後凸円弧状上面
８６ｄ    コーナー面
８６ｅ    凸円弧状後面
８６ｆ    横向き傾斜面（側面）
９０      横押し当接部材
９０ａ    横押し当接面
９０Ａ    後端部分
９０Ｂ    後端
９０Ｃ    前端
１０７    ローラ軸（支持軸）
１０８    案内ローラ（被案内体）
１１０    往路案内装置
１１６    復路案内装置
１３０    上部切り換え手段
１３１    下部切り換え手段
１３２Ａ  振り分け手段
１３２Ｂ  振り分け手段
１４０    カバー体
１４５Ａ  分岐搬送経路
１４５Ｂ  分岐搬送経路
１４６Ａ  分岐コンベヤ
１４６Ｂ  分岐コンベヤ
１５０    物品
θ        傾斜角度
Ｌ        設定長さ
Ｓ        隙間
Ｅ        横向き直状面
Ｆ        半円状面
Ｇ        横向き傾斜面
【図１】
0004650306.tif 000002
【図２】
0004650306.tif 000003
【図３】
0004650306.tif 000004
【図４】
0004650306.tif 000005
【図５】
0004650306.tif 000006
【図６】
0004650306.tif 000007
【図７】
0004650306.tif 000008
【図８】
0004650306.tif 000009
【図９】
0004650306.tif 000010
【図１０】
0004650306.tif 000011
【図１１】
0004650306.tif 000012
【図１２】
0004650306.tif 000013
【図１３】
0004650306.tif 000014
【図１４】
0004650306.tif 000015
【図１５】
0004650306.tif 000016
【図１６】
0004650306.tif 000017